(57)【要約】【課題】電子ペーパー表示装置の出力ドライバーを提供する。【解決手段】電子ペーパー表示装置にＭ個のデータを一つずつ送るＭ個の出力ドライバーにおいて、Ｍ個の出力ドライバーを複数個のグループに分けて、各グループ毎に駆動される時間を分散させて、それぞれのデータを電子ペーパー表示装置に送る。また、電子ペーパー表示装置にデータを送る出力ドライバーにおいて、出力ドライバーはＮ個のドライバーを備えて構成されて、電子ペーパー表示装置の出力インピーダンスに従ってＮ個のドライバーのうちの一部を選択的に駆動する。また、電子ペーパー表示装置の出力ドライバーは、複数個の出力ドライバーを複数個のグループに分けて各グループ毎に分散させて駆動することでピーク電流を減少させて、出力負荷の大きさによって出力ドライバーを選択的に駆動することで出力負荷の変化にも一定の駆動能力を提供する。【選択図】図１
2011133892.tif 000002
【特許請求の範囲】
【請求項１】
電子ペーパー表示装置にＭ個(Ｍは２以上の自然数)のデータを一つずつ送るＭ個の出力ドライバー３２０、３３０、３４０において、
前記Ｍ個の出力ドライバーを複数個のグループに分けて、各グループどうしに駆動される時間を分散させて、駆動して前記Ｍ個のデータを前記電子ペーパー表示装置３５０に送ることを特徴とする電子ペーパー表示装置の出力ドライバー。
【請求項２】
前記Ｍ個の出力ドライバーを分散駆動するために前記Ｍより少ないか、または同じ複数の制御信号を出力して、前記複数の制御信号は、一定区間の間ずつ活性化されるが、順次に活性化されることを特徴とするドライバー制御部３１０をさらに具備することを特徴とする請求項１に記載の電子ペーパー表示装置の出力ドライバー。
【請求項３】
前記Ｍ個の出力ドライバーはそれぞれ、
正電圧の供給を受けて駆動される正ドライバー;
負電圧の供給を受けて駆動される負ドライバー;及び
前記正ドライバーと前記負ドライバーの間で連結されて、前記制御信号によって前記正ドライバーと前記負ドライバーを連結または遮断して、前記データを出力するスイッチング部で構成されたことを特徴とする請求項２に記載の電子ペーパー表示装置の出力ドライバー。
【請求項４】
前記Ｍ個の出力ドライバー３２０、３３０、３４０は、
それぞれＮ個のドライバーに構成されて、前記Ｎ個のドライバーは、前記電子ペーパー表示装置の出力インピーダンスによって前記Ｎ個のドライバーのうちで一部が選択されて駆動されることを特徴とする請求項１に記載の電子ペーパー表示装置の出力ドライバー。
【請求項５】
前記Ｍ個の出力ドライバーは、第１出力ドライバーないし第Ｍ出力ドライバーで構成されて、
前記第１出力ドライバーから前記第Ｍ出力ドライバーが順次に駆動されるか、または前記第Ｍ出力ドライバーから前記第１出力ドライバーが順次に駆動されることを特徴とする請求項４に記載の電子ペーパー表示装置の出力ドライバー。
【請求項６】
電子ペーパー表示装置にデータを送る出力ドライバーにおいて、
前記出力ドライバーは、Ｎ個のドライバーに構成されて、前記電子ペーパー表示装置の出力インピーダンスによって前記Ｎ個のドライバーのうちで一部を選択的に駆動することを特徴とする電子ペーパー表示装置の出力ドライバー。
【請求項７】
前記Ｎ個のドライバーを選択的に駆動するための複数の制御信号を出力するドライバー制御部をさらに具備することを特徴とする請求項６に記載の電子ペーパー表示装置の出力ドライバー。
【請求項８】
前記出力ドライバーは、第１ドライバーないし第Ｎドライバーで構成されて、
それぞれのドライバーは、
正電圧の供給を受けて駆動される正ドライバー;
負電圧の供給を受けて駆動される負ドライバー;及び
前記正ドライバーと前記負ドライバーとの間で連結されて、前記制御信号によって前記正ドライバーと前記負ドライバーを連結または遮断して、前記データを出力するスイッチング部で構成されたことを特徴とする請求項６または７に記載の電子ペーパー表示装置の出力ドライバー。
【請求項９】
前記スイッチング部は、
前記ドライバー制御部から制御信号をゲートに入力を受けて、第１端子は正ドライバーと連結される第１ｐＭＯＳトランジスター;及び
前記ドライバー制御部から前記制御信号の相補信号をゲートに入力を受けて第１端子は前記第１ｐＭＯＳトランジスターの第２端子に連結されて第２端子は前記負ドライバーに連結される第１ｎＭＯＳトランジスターを含んで、
前記第１ｐＭＯＳトランジスターの第２端子で前記第１ｎＭＯＳトランジスターの第１端子で前記データが出力されることを特徴とする請求項８に記載の電子ペーパー表示装置の出力ドライバー。
【請求項１０】
前記出力ドライバーを分散駆動するための複数の制御信号を出力するデコーダー/制御部をさらに具備して、
前記出力ドライバーは第１スイッチング部ないし第Ｎスイッチング部で構成されて、
前記第１スイッチング部ないし前記第Ｎスイッチング部は正電圧と負電圧を電源で供給を受けて前記複数の制御信号によって前記データを前記電子ペーパー表示装置に送ることを特徴とする請求項６に記載の電子ペーパー表示装置の出力ドライバー。
【請求項１１】
前記デコーダー/制御部は入力データを供給する入力デコーダーの機能と前記入力データの供給を受けてドライビングして出力する回路の機能をさらに含むことを特徴とする請求項１０に記載の電子ペーパー表示装置の出力ドライバー。
【請求項１２】
前記第１スイッチング部は、
前記ドライバー制御部から制御信号をゲートに入力を受けて第１端子は正ドライバーと連結される第２ｐＭＯＳトランジスター;及び
前記ドライバー制御部から前記制御信号の相補信号をゲートに入力を受けて第１端子は、前記第２ｐＭＯＳトランジスターの第２端子に連結されて、第２端子は前記負ドライバーに連結される第２ｎＭＯＳトランジスターを含んで、
前記第２ｐＭＯＳトランジスターの第２端子であり、前記第２ｎＭＯＳトランジスターの第１端子で前記データが出力されることを特徴とする請求項１１に記載の電子ペーパー表示装置の出力ドライバー。 
【発明の詳細な説明】
【技術分野】
【０００１】
本発明は、電子ペーパー表示装置の出力ドライバーに関するものであり、具体的にはピーク電流を減少させてＲＣ(Registor capacitor)出力インピーダンスが変わっても出力ドライバーの再設計なしに適用可能な電子ペーパー表示装置の出力ドライバーに関するものである。
【背景技術】
【０００２】
一般に、電子ペーパーは、数百万個の玉が油穴内に振り撤かれている薄型のプラスチックのような柔軟な基板に文字や映像を表示できるようにしたディスプレイ素子として、数百万回を再生して使用することができるし、将来に本、新聞、雑誌など既存の印刷媒体を取り替える材料として期待される。
【０００３】
また、電子ペーパー表示装置は、既存の平面ディスプレイパネルに比べて生産単価がずっとチープで停止画面のように背景照明や持続的な再充電が必要ではないので、とても少ないエネルギーでも駆動されることができて、エネルギー効率も遥かに優秀である。これと共に、電子ペーパーは非常に鮮明で、視野角が広くて電源がなくても、字が完全に消えないメモリー機能も持っていて、公共掲示板、広告物、電子ブックなどに幅広く使用される可能性がある。
【０００４】
電子ペーパー表示パネルの画像具現のための技術的接近方式は、大きく液晶を利用した方式、有機ＥＬ(electro-luminescence)、電気泳動(electrophoresis)、ツイストボール(Twist Ball)、メカニカル(Mechanical)及び反射型表示方式があり、このうちで現在一番注目されている技術は、電気泳動現象を利用する技術で帯電された複数の粒子と流体をマイクロカプセル内に入れて電気泳動現象を利用して画像を具現する方式である。
【０００５】
このような電子ペーパーは、柔軟な素材の基板を活用してフレキシブル(Flexible)で、薄型化を通じて携帯性が簡便にさせて、電極構造が簡単で工程が単純で低価格化及び大型化を容易にする長所を有する。
【先行技術文献】
【特許文献】
【０００６】
【特許文献１】特開２００９−７５３３１号公報。
【発明の概要】
【発明が解決しようとする課題】
【０００７】
従来技術による電子ペーパー表示装置の出力ドライバーは、電子ペーパー表示装置に入力される出力数、すなわち、チャンネル数が増加するほどピーク電流が増加して、電磁波干渉(ＥＭＩ)及び消費電力が増加される問題点がある。
【０００８】
また、電子ペーパー表示装置の出力ロードが違えば、同じ出力ドライバーを使用することができないために、再び出力ドライバーを設計するか、または電子ペーパー表示装置ごとに他の出力ドライバー製品を使わなければならないしかないという困難な点がある。
【０００９】
本発明が達成しようとする技術的課題は、複数の出力ドライバーを複数個のグループに分けて分散させて駆動することで、ピーク電流を減少させて、出力ロードの大きさによって出力ドライバー内の複数のドライバーを選択的に駆動することで出力ロードが違う製品にも一定な駆動能力を提供して、すべての製品に適用可能な電子ペーパー表示装置の出力ドライバーを提供するためのものである。
【課題を解決するための手段】
【００１０】
前記技術的課題を達成するための本発明による電子ペーパー表示装置の出力ドライバーは、電子ペーパー表示装置にＭ個のデータを一つずつ送るＭ個の出力ドライバーにおいて、前記Ｍ個の出力ドライバーを複数個のグループに分けて、各グループどうしに駆動される時間を分散させて、それぞれのデータを前記電子ペーパー表示装置に送ることを特徴とする。
【００１１】
前記技術的課題を達成するための本発明による電子ペーパー表示装置の出力ドライバーは、電子ペーパー表示装置にデータを送る出力ドライバーにおいて、前記出力ドライバーはＮ個のドライバーに構成されて、前記電子ペーパー表示装置の出力インピーダンスに合わせて前記Ｎ個のドライバーのうちで一部を選択的に駆動することを特徴とする。
【発明の効果】
【００１２】
本発明による電子ペーパー表示装置の出力ドライバーは、複数の出力ドライバーを複数個のグループに分けて分散させて駆動することでピーク電流を減少させる効果がある。
【００１３】
また、本発明は、出力ロードの大きさによって出力ドライバー内の複数のドライバーを選択的に駆動することで出力ロードの変化にも一定な駆動能力を提供する効果がある。
【図面の簡単な説明】
【００１４】
【図１】本発明による電子ペーパー表示装置の出力ドライバーの一実施例と電子ペーパー表示装置を示したものである。
【図２】本発明による電子ペーパー表示装置の出力ドライバーの第２実施例と電子ペーパー表示装置を示したものである。
【図３】本発明による電子ペーパー表示装置の出力ドライバーの第３実施例と電子ペーパー表示装置を示したものである。
【図４】図３に示された出力ドライバーの詳細回路図である。
【図５】図３に示された出力ドライバーの複数の分散駆動モデルである。
【発明を実施するための形態】
【００１５】
以下、添付された図面を参照して本発明をより詳しく説明するようにする。
【００１６】
図１は、本発明による電子ペーパー表示装置の出力ドライバーの一実施例と電子ペーパー表示装置１８０を示したものである。
【００１７】
図１に示された電子ペーパー表示装置の出力ドライバーは、ドライバー制御部１１０及び複数の出力ドライバー１２０、１３０、１４０、…、１５０、１６０、１７０を含む。
【００１８】
前記複数の出力ドライバー１２０、１３０、…、１４０、１５０、１６０、…、１７０は、それぞれＮ個のドライバーで構成されて、それぞれのＮ個のドライバーが選択的に駆動されて生成するそれぞれのデータｏｕｔｐｕｔ１、…、ｏｕｔｐｕｔＭを前記電子ペーパー表示装置１８０に送る(Ｎ、Ｍは、自然数)。
【００１９】
そのうち、出力ドライバー１２０、１３０、…、１４０は第１ドライバー１２０ないし第Ｎドライバー１４０を含む。
【００２０】
前記第１ドライバー１２０ないし第Ｎドライバー１４０は、それぞれ正ドライバー、負ドライバー及びスイッチング部で構成される。
【００２１】
前記スイッチング部は、複数のトランジスターを直列または並列連結して具現することができるが、図１では前記スイッチング部はｐＭＯＳトランジスター及びｎＭＯＳトランジスターの直列連結によって具現したものである。
【００２２】
例えば、前記第１ドライバー１２０は、第１正ドライバー１２１、第１負ドライバー１２３及び第１スイッチング部１２２を含んで、前記第１スイッチング部１２２は第１ｐＭＯＳトランジスターＰ１及び第１ｎＭＯＳトランジスターＮ１を具備する。
【００２３】
前記第１ｐＭＯＳトランジスターＰ１は、前記ドライバー制御部１１０から第１制御信号ｃｔｌ１をゲートに入力を受けて、第１端子は第１正ドライバー１２１と連結されて、第２端子は前記第１ｎＭＯＳトランジスターＮ１の第１端子に連結される。
【００２４】
前記第１ｎＭＯＳトランジスターＮ１は、前記ドライバー制御部１１０から前記第１制御信号の相補信号ｃｔｌ１ｂをゲートに入力を受けて、第１端子は前記第１ｐＭＯＳトランジスターＰ１の第２端子に連結されて、第２端子は前記第１負ドライバー１２３に連結される。
【００２５】
そして、前記第１ｐＭＯＳトランジスターＰ１の第２端子と前記第１ｎＭＯＳトランジスターＮ１の第１端子が連結されて、この連結ノードNode１からの出力データOutput１を前記電子ペーパー表示装置１８０に送る。
【００２６】
前記第１正ドライバー１２１は、正電圧(ＶＰＯＳ)の供給を受けて駆動されて、前記第１ｐＭＯＳトランジスターＰ１の第１端子と連結される。
【００２７】
前記複数の正ドライバーと前記複数の負ドライバーに入力される入力信号が図示されなかったが、前記第１正ドライバー１２１は、入力デコーダーのような回路から入力データの入力を受けて駆動するドライバーであり、前記第１スイッチング部１２２によって前記第１負ドライバー１２３と連結されて、前記電子ペーパー表示装置１８０に供給する最終出力データｏｕｔｐｕｔ１を生成する。
【００２８】
また、前記第１正ドライバー１２１ないし前記第Ｎ正ドライバー１４１は同一な入力データの供給を受けて、それぞれに連結されたスイッチング部１２２、１３２、…、１４２は、前記連結ノードNode１が各ドライバー１２１、１３１、…、１４１どうしに連結されていて、同一な出力データｏｕｔｐｕｔ１を前記電子ペーパー表示装置１８０に供給する。
【００２９】
前記第１負ドライバー１２３は、負電圧(ＶＮＥＧ)の駆動を受けて駆動されて、前記第１ｎＭＯＳトランジスターＮ１の第２端子と連結される。
【００３０】
また、前記第１負ドライバー１２３は、前記第１正ドライバー１２１と共に入力デコーダーのような回路から入力データの入力を受けて駆動するドライバーであり、前記第１正ドライバー１２１と連結されて前記電子ペーパー表示装置１８０に供給する最終出力データｏｕｔｐｕｔ１を生成する。
【００３１】
前記第１負ドライバー１２３ないし前記第Ｎ負ドライバー１４３は同一な入力データの供給を受ける。
【００３２】
但し、それぞれの出力に対応される複数の出力ドライバーに入力される入力データは、相異なことは当然である。例えば、一つの出力データｏｕｔｐｕｔ１を供給する出力ドライバー１２０、１３０、…、１４０に入力される入力データと違う出力データｏｕｔｐｕｔＭを供給する出力ドライバー１５０、１６０、…、１７０に入力される入力データは別個の信号である。
【００３３】
前記正電圧(ＶＰＯＳ)は、正の電圧であるか、前記負電圧(ＶＮＥＧ)に比べて高い電圧である。前記負電圧(ＶＮＥＧ)は負の電圧であるか、または前記正電圧(ＶＰＯＳ)に比べて低い電圧である。
【００３４】
前記ドライバー制御部１１０は、前記出力ドライバー１２０、１３０、１４０を選択的に駆動するための複数の制御信号ｃｔｌ１、ｃｔｌ２、ｃｔｌ３、ｃｔｌ１ｂ、ｃｔｌ２ｂ、ｃｔｌ３ｂを出力する。前記ドライバー制御部１１０の出力は、第１制御信号ｃｔｌ１ないし第Ｎ制御信号ｃｔｌ３、及び前記第１制御信号の相補信号ｃｔｌ１ｂないし前記第Ｎ制御信号の相補信号ｃｔｌ３ｂで構成される。
【００３５】
前記複数の制御信号は、Ｎ個の制御信号ｃｔｌ１、ｃｔｌ２、ｃｔｌ３と前記Ｎ個の制御信号の相補信号ｃｔｌ１ｂ、ｃｔｌ２ｂ、ｃｔｌ３ｂを具備する。図１に示されたところのように、各ドライバーごとに１個の制御信号とその相補信号によって駆動される場合、Ｎ個のドライバーを具備しているので、Ｎ個の制御信号が要求される。
【００３６】
前記第２ドライバー１３０ないし第Ｎドライバー１４０の構成も前記第１ドライバー１２０のように、正ドライバー、スイッチング部、負ドライバーで構成された点は同一であり、但し、前記ドライバー制御部１１０から供給を受ける制御信号に差がある。すなわち、前記第２ドライバー１３０は第２制御信号ｃｔｌ２と第２制御信号の相補信号ｃｔｌ２ｂとの供給を受けて、前記第Ｎドライバー１４０は、第Ｎ制御信号ｃｔｌ３と第Ｎ制御信号の相補信号ｃｔｌ３ｂとの供給を受ける。
【００３７】
前記第１ドライバー１２０ないし前記第Ｎドライバー１４０の駆動能力を同一に、または相異に調節することができる。
【００３８】
また、前記第１ドライバー１２０ないし前記第Ｎドライバー１４０は、出力端がすべて共通で連結されているし、出力端から出力信号ｏｕｔｐｕｔ１、…、ｏｕｔｐｕｔＭが前記電子ペーパー表示装置１８０に入力される。
【００３９】
また、前記出力ドライバーが電子ペーパー表示装置の出力ｏｕｔｐｕｔ１、…、ｏｕｔｐｕｔＭごとにすべて具備される。すなわち、図１を参照すれば、前記出力ドライバーは各出力ｏｕｔｐｕｔ１、…、ｏｕｔｐｕｔＭごとに具備されるのでＭ個が具備される。
【００４０】
ここで、前記第１ドライバー１２０ないし前記第Ｎスイッチング部１４０は、ＲＣ出力ロードの値が異なる複数の電子ペーパー表示装置とすべて適用が可能になるようにそれぞれを構成するトランジスターの大きさなどが同じではないように設計する。その結果、電子ペーパー表示装置のＲＣ(resistor-capacitor)出力ロードが違う複数の製品にも前記出力ドライバーを具備して、前記第１ドライバー１２０ないし前記第Ｎドライバー１４０を選択的に駆動させて、どのような電子ペーパー表示装置にも同一な大きさの出力データを供給するようにできる。
【００４１】
例えば、出力ロードの値が第１出力インピーダンスである電子ペーパー表示装置には前記第１ドライバー１２０と第Ｎドライバー１４０をターンオンさせて、その外はターンオフさせて、前記出力データを前記電子ペーパー表示装置に出力して、出力ロードの値が第２出力インピーダンスである電子ペーパー表示装置には前記第２ドライバー１３０のみをターンオンさせて、その外はターンオフさせて前記データを前記電子ペーパー表示装置に出力するように調整して、お互いに違う出力インピーダンスを有する電子ペーパー表示装置にも出力ドライバーの駆動能力を合わせることができる長所がある。
【００４２】
図２は、本発明による電子ペーパー表示装置の出力ドライバーの第２実施例と電子ペーパー表示装置２８０を示したものである。
【００４３】
図２に示された電子ペーパー表示装置の出力ドライバーは、デコーダー/制御部２１０及びスイッチング部２２０、２３０、２４０を含む。
【００４４】
前記デコーダー/制御部２１０は、図１に示されたドライバー制御部１１０に比べて出力ドライバーの機能とデータデコーダーの機能及び図１に示されたドライバー制御部の機能をすべて遂行することによって、複数の制御信号ｃｔｌ１、ｃｔｌ２、ｃｔｌ３、ｃｔｌ１ｂ、ｃｔｌ２ｂ、ｃｔｌ３ｂを出力する。
【００４５】
データデコーダーの機能とは、入力デコーダーのような回路で入力データを供給する機能である。出力ドライバーの機能は、前記入力データの供給を受けてドライビングすることを例に挙げることができる。
【００４６】
したがって、前記デコーダー/制御部２１０は、入力データの供給を受けて一部ドライビング機能を遂行した結果値と図１に示されたドライバー制御部の複数の出力信号とのマージ(merge)された値を生成する回路であり、複数の制御信号ｃｔｌ１、ｃｔｌ２、ｃｔｌ３、ｃｔｌ１ｂ、ｃｔｌ２ｂ、ｃｔｌ３ｂを生成する。
【００４７】
前記スイッチング部２２０、２３０、２４０は、第１スイッチング部２２０ないし第Ｎスイッチング部２４０を含む。
【００４８】
例えば、前記第１スイッチング部２２０は、第７ｐＭＯＳトランジスターＰ７及び第７ｎＭＯＳトランジスターＮ７を含む。
【００４９】
前記第７ｐＭＯＳトランジスターＰ７は、前記正電圧(ＶＰＯＳ)を第１端子に入力を受けて、制御信号ｃｔｌ１をゲートに入力を受けて第２端子は、前記第７ｎＭＯＳトランジスターＮ７の第１端子に連結される。
【００５０】
前記第７ｎＭＯＳトランジスターＮ７は、前記負電圧(ＶＮＥＧ)を第２端子に入力を受けてゲートに前記制御信号の相補信号ｃｔｌ１ｂの入力を受けて、前記第７ｎＭＯＳトランジスターＮ７の第１端子に第２端子が連結される。
【００５１】
ここで、前記複数の制御信号ｃｔｌ１、ｃｔｌ２、ｃｔｌ３、ｃｔｌ１ｂ、ｃｔｌ２ｂ、ｃｔｌ３ｂによって、前記第１スイッチング部２２０ないし前記第Ｎスイッチング部２４０は選択的に駆動される。
【００５２】
ここで、前記第１スイッチング部２２０ないし前記第Ｎスイッチング部２４０は、ＲＣ出力ロードの値が異なる複数の電子ペーパー表示装置とすべて適用が可能になるようにそれぞれを構成するトランジスターの大きさなどが同一ではないように設計する。その結果、電子ペーパー表示装置のＲＣ(resistor-capacitor)出力ロードが違う複数の製品にも前記出力ドライバーを具備して、前記第１スイッチング部２２０ないし前記第Ｎスイッチング部２４０を選択的に駆動させて、どのような電子ペーパー表示装置にも同一な大きさの出力データを供給するようにできる。
【００５３】
例えば、出力ロードの値が第１出力インピーダンスである電子ペーパー表示装置には、前記第１スイッチング部２２０のみをターンオンさせて、その外はターンオフさせて前記出力データを前記電子ペーパー表示装置に出力して、出力ロードの値が第２出力インピーダンスである電子ペーパー表示装置には前記第２スイッチング部２３０のみをターンオンさせて、その外はターンオフさせて、前記データを前記電子ペーパー表示装置に出力するように調整して、お互いに違う出力インピーダンスを有する電子ペーパー表示装置にも出力ドライバーの駆動能力を合わせることができる長所がある。
【００５４】
図３は、本発明による電子ペーパー表示装置の出力ドライバーの第３実施例と電子ペーパー表示装置３５０を示したものである。
【００５５】
図３に示された電子ペーパー表示装置の出力ドライバーは、ドライバー制御部３１０及びＭ個の出力ドライバー３２０、３３０、…、３４０を含む。
【００５６】
また、本発明は、Ｍ個の出力ドライバー３２０、３３０、…、３４０を複数個のグループに分けてそれぞれのグループどうしに駆動して、それぞれのグループが駆動される時間は、お互いに分散させてピーク電流を減少させる。
【００５７】
例えば、出力ドライバー数、すなわち、チャンネル数が４００個であれば、５０個ずつを一つのグループに分類して、５０個ずつ順次に駆動するものである。このようにすれば、５０個ずつ８回の分散駆動によってピーク電流を分散するので、おおよそ１/８倍でピーク電流が減少されることができる。
【００５８】
前記ドライバー制御部3１０は、前記第１制御信号ｃｔｌ１ないし前記第Ｍ制御信号ｃｔｌ３を順次に活性化させる。
【００５９】
したがって、順次に活性化される前記第１制御信号ｃｔｌ１ないし前記第Ｍ制御信号ｃｔｌ３と前記第１制御信号の相補信号ｃｔｌ１ｂないし前記第Ｍ制御信号の相補信号ｃｔｌ３ｂの入力を受けて、前記第１出力ドライバー３２０ないし前記第Ｍドライバー３４０が順次に駆動されて、ドライビングすることでピーク電流を分散させることができる。
【００６０】
また、示さなかったが、前記Ｍ個の出力データｏｕｔｐｕｔ１、…、ｏｕｔｐｕｔＭを送るそれぞれのＭ個の出力ドライバー３２０、３３０、３４０が分散駆動して、前記Ｍ個の出力ドライバーは内部にそれぞれＮ個のドライバーを具備することができる(Ｍ、Ｎは自然数)。
【００６１】
本発明で分散駆動とは、図５aないし図５ｄに示された複数の出力ドライバーの複数の分散駆動モデルのように、複数の出力ドライバーを順次に駆動するか、または別個に駆動してすべての出力ドライバーが同時に駆動されないことを意味する。
【００６２】
それぞれの出力ドライバーの詳細な回路は、図４を例に挙げることができる。
【００６３】
図４は、図３に示された第１出力ドライバー３２０の詳細回路図を示したものである。
【００６４】
第１出力ドライバー３２０は、第１正ドライバー３２１、第１負ドライバー３２３及び第１スイッチング部３２２を含んで、前記第１スイッチング部3２２は第１３ｐＭＯＳトランジスターＰ１３及び第１３ｎＭＯＳトランジスターＮ１３を具備する。
【００６５】
前記第１３ｐＭＯＳトランジスターＰ１３は、前記ドライバー制御部３１０から第１制御信号ｃｔｌ１をゲートに入力を受けて、第１端子は第１正ドライバー３２１と連結されて、第２端子は前記第１３ｎＭＯＳトランジスターＮ１３の第１端子に連結される。
【００６６】
前記第１３ｎＭＯＳトランジスターＮ１３は、前記ドライバー制御部３１０から前記第１制御信号の相補信号ｃｔｌ１ｂをゲートに入力を受けて第１端子は、前記第１３ｐＭＯＳトランジスターＰ１３の第２端子に連結されて、第２端子は前記第１負ドライバー３２３に連結される。
【００６７】
そして、前記第１３ｐＭＯＳトランジスターＰ１３の第２端子と前記第１３ｎＭＯＳトランジスターＮ１３の第１端子が連結されて、この連結ノードからの出力データOutput１を前記電子ペーパー表示装置３５０に送る。
【００６８】
図５は、図３に示された複数の出力ドライバーの複数の分散駆動モデルである。
【００６９】
ｘ軸が前記電子ペーパー表示装置の出力データ個数またはチャンネル数(Ｍ)である。ｙ軸は、それぞれの出力ドライバーが駆動される時間を表示したものである。
【００７０】
図５(a)は、図３の前記第１出力ドライバー３２０から前記第Ｍ出力ドライバー３４０が順次に駆動される。例えば、０<t<t０の時間には第１出力ドライバー３２０が駆動されて、ｔ０＜ｔ＜ｔ１には第２出力ドライバー３３０が駆動されて、ｔ１＜ｔ＜ｔ２には第３出力ドライバー３４０が駆動される式に順次に駆動される。
【００７１】
図５(b)は、図３の第Ｍ出力ドライバー３４０が一番先に駆動されて、逆順に駆動されて第１出力ドライバー３２０が最も後に駆動される。
【００７２】
図５(c)は、中間番号の出力ドライバーが先に駆動されて、漸次的に中間番号の出力ドライバーから駆動されて、後には前記第１出力ドライバー3２０及び前記第Ｍ出力ドライバー3４０が駆動される。
【００７３】
図５(d)は、図３の前記第１出力ドライバー3２０及び前記第Ｍ出力ドライバー3４０が先に駆動されて、後には中間番号の出力ドライバーが駆動される。
【００７４】
したがって、本発明による電子ペーパー表示装置の複数の出力ドライバーは、同時にすべての出力ドライバーが駆動されないで順次に駆動されて、ピーク電流を大きく減少させることができる。
【００７５】
以上で、本発明に対する技術思想を添付図面と共に敍述したが、これは本発明の望ましい実施例を例示的に説明したものであって、本発明を限定するものではない。また、本発明が属する技術分野で通常の知識を有した者なら誰も本発明の技術的思想の範疇を離脱しない範囲内で多様な変形及び模倣が可能であることは明白な事実である。
【符号の説明】
【００７６】
１１０  ドライバー制御部
１２０  第１ドライバー
１２１  第１正ドライバー
１２３  第１負ドライバー
１３１  第２正ドライバー
１３３  第２負ドライバー
１４０  第Ｎ正ドライバー
１４３  第Ｎ負ドライバー
１５０  第１正ドライバー
１５３  第１負ドライバー
１６０  第２正ドライバー
１６３  第２負ドライバー
１７０  第Ｎ正ドライバー
１７３  第Ｎ負ドライバー
１８０  電子ペーパー表示装置
【図１】
2011133892.tif 000003
【図２】
2011133892.tif 000004
【図３】
2011133892.tif 000005
【図４】
2011133892.tif 000006
【図５】
2011133892.tif 000007